(57)【特許請求の範囲】
【請求項１】
電気作動部を有した種々の診療機器を着脱交換可能に取付けできるようにした継手部を備えたマルチジョイントチューブを医療装置本体部から導出させた医療装置において、
上記マルチジョイントチューブの継手部は、その継手部に接続される全ての診療機器の電気作動部を作動させる為の電源ラインに対応可能で、かつ、それぞれの位置が異なるように配設された通電接続端子を備え、
上記医療装置本体部は、
接続されるべき診療機器の診療機器の電気作動部の種類に合わせた電源を給電するようにした電源供給回路と、
上記電源供給回路から電源が給電可能とされた状態で、いずれかの診療機器が上記マルチジョイントチューブの継手部に接続され、その診療機器に固有の電気作動部に対応した通電接続端子が導通されることで、その電源ラインの通電有無を検知するようにした通電検知手段と、
上記マルチジョイントチューブの継手部に接続され、上記通電検知手段によって通電検知された診療機器の種類に合わせた電源供給回路を選択して、電源を給電させるようにした電源制御部と、
上記選択された電源供給回路と上記通電検知手段によって判別された診療機器の種類に合わせて、その電源供給回路と、その診療機器の接続端子が接続された通電接続端子とを切換接続する電源切換手段とを備えていることを特徴とするマルチジョイントチューブを備えた医療装置。
【請求項２】
請求項１に記載の医療装置において、
上記通電検知手段は、複数の電源ラインの通電を検知した場合には、予め用意された通電検知される電源ラインと診療機器の種類を対応付けた通電判別テーブルによって、接続された診療機器を判別するようにしたことを特徴とするマルチジョイントチューブを備えた医療装置。
【請求項３】
請求項１または２に記載の医療装置において、
上記電源供給回路は、三相交流電源を含んでおり、
上記電源切換手段は、その三相交流電源の３つの電源供給ラインのうち、いずれか１つを、通電検知時には、共通電源ラインに接続保持する構成としているマルチジョイントチューブを備えた医療装置。
【発明の詳細な説明】
【０００１】
【発明の属する技術分野】
本発明は、歯科用医療装置によって代表され、電源、水、空気などを、スケーラ、ハンドピース、光重合器、診断器などの診療機器に供給して、診断、治療を行う医療装置であって、これらの診療機器を医療装置本体から導出させたマルチジョイントチューブに着脱交換可能に取付けて使用するマルチジョイントチューブを備えた医療装置、その医療装置に用いるマルチジョイント診療機器とマルチジョイント用アダプタに関する。
【０００２】
【従来の技術】
歯科用医療装置によって代表される、電源、水、空気などを、スケーラ、ハンドピース、光重合器、診断器などの診療機器に供給して、診断、治療を行う医療装置であって、これらの診療機器を医療装置本体から導出させたチューブに着脱可能に取付けて使用する医療装置においては、従来は、使用する診療機器の種類に合わせて、それを取り付けるべきチューブを備えていた。
【０００３】
これは、スケーラ、ハンドピース、光重合器、診断器などの診療機器の種類によって、その診断、治療に必要な電源、水、空気などが異なっているため、チューブは、その必要なものだけを供給するようにしていたためである。
【０００４】
このため、診療機器の種類が増えれば増えるほど、医療装置本体から導出されるチューブの数が増え、その設置場所がより広く必要であったり、チューブ同志の絡まりによって診療の妨げになったり、医療装置本体側の構造も複雑になるといった問題があった。
【０００５】
このような問題を解決するために、従来のチューブに替え、必要な診療機器を、着脱交換可能に取り付けることのできるマルチジョイントチューブを備えた医療装置を出願人自身も提案している。
【０００６】
図１２は、そのようなマルチジョイントチューブを備えた医療装置の一例を概念的に示すブロック図、図１３は、その医療装置のマルチジョイントチューブとマルチジョイント診療機器の一例を概念的に説明する斜視図である。
【０００７】
図１２に示すように、このマルチジョイントチューブを備えた医療装置１００は、マルチジョイントチューブ１０１を導出させた医療装置本体部１０５を備え、このマルチジョイントチューブ１０１の先端の継手部１１２に、必要なマルチジョイント診療機器１０６ａ〜１０６ｄを着脱交換可能に取り付け、診断、治療を行うことができる。
【０００８】
この医療装置は、一例として、歯科用医療装置の場合を示しており、これらのマルチジョイント診療機器は、図示したように、スケーラ１０６ａ、マイクロモーターハンドピース１０６ｂ、光重合器１０６ｃ、診断器の一種である根管長測定器６ｄとなっている。
【０００９】
マルチジョイントチューブ１０１は、可撓性チューブで構成され、そのチューブ１０１の一端には上述の継手部１１２、他端には、医療装置本体部１０５の本体基端部１５３と接続するための基端継手部１１５が設けられている。
【００１０】
医療装置本体部１０５には、接続される診療機器１０６ａ〜１０６ｄに合わせて必要な電源を供給する電源供給回路のスケーラ駆動回路１０２ａ、モータ駆動回路１０２ｂ、光重合駆動回路１０２ｃ、根管長測定器１０６ｄ用の診断器回路１０２ｄ、駆動用あるいは冷却用の空気を供給するエアー回路１０２ｅ、洗浄用あるいは冷却用の水を供給する水回路１０２ｆが備えられ、これらの回路を電源制御部１０３が制御している。
【００１１】
電源制御部１０３には、電源１３１、加圧空気源１３２、給水源１３３が接続され、電源制御部１０３自体の制御や駆動に用いられると共に、それぞれの回路１０２ａ〜１０２ｆに必要な電源、空気、水を供給している。また、電源制御部１０３には、術者がマルチジョイントチューブ１０１に取り付け接続された診療機器の種類を手動入力するための種別入力手段１３４と、フットスイッチなどで構成され、接続された診療機器に必要な電源、空気、水などを供給させて診断、治療を行うための制御駆動スイッチ１５１が接続されている。
【００１２】
上述したスケーラ駆動回路１０２ａ、モータ駆動回路１０２ｂ、光重合駆動回路１０２ｃ、診断器回路１０２ｄからは、それぞれ、専用の電源ライン１１３が導出され、エアー回路１０２ｅからはエアーライン１１６、水回路１０２ｆからは水ライン１１７が導出されており、本体基端部１５３でまとめられて、更に、図示していないが、マルチジョイントチューブ１０１内を通って、接続された診療機器に必要な電源、加圧空気、水を供給するようになっている。
【００１３】
なお、スケーラ駆動回路１０２ａからは、スケーラ１０６ａの照明用の電源ライン１１３ａ、モータ駆動回路１０２ｂからは、マイクロモータハンドピース１０６ｂの照明用の電源ライン１１３ｂ，マイクロモータの負荷による温度上昇を監視するセンサ用の電源ライン１１３ｃも同様に導出されている。
【００１４】
図１３は、このマルチジョイントチューブを備えた治療装置１００の特徴とするマルチジョイントチューブ１０１の継手部１１２の構造を示しており、この継手部１１２に着脱交換可能に取り付けるマルチジョイント診療機器１０６ａ〜１０６ｄも、それに対応したものとなっている。
【００１５】
このマルチジョイントチューブ１０１の継手部１１２においては、そのマルチジョイントチューブ１０１に着脱可能に取り付けられる診療機器を考慮して、いずれの診療機器に対しても、必要な電源、空気、水が供給されるように、電源ライン、水ライン、エアーラインの接続端子は、それぞれ種類ごとに、所定の決まった位置にしなければならない。さらに、診療機器を接続したときに、その接続によって導通する電源ラインによって、その診療機器を特定できるように、少なくとも、１箇所の接続端子は、その診療機器に対して、特定の位置、他と異なった位置にあって、そこに、その専用の電源ラインが連結されていることが必要である。
【００１６】
つまり、マルチジョイントチューブでは、接続端子の位置配置が重要であり、その配置は、全ての接続すべき診療機器の電気作動部を考慮して、合目的的に決められなければならない。
【００１７】
この継手部１１２に設けられた通電接続端子１１１ａ〜１１１ｊは、そのような点を考慮して設けられた電源用の接続端子であり、それぞれ専用の電源ライン１１３で、通電接続端子１１１ａは、スケーラ駆動回路１０２ａに、通電接続端子１１１ｂ、１１１ｃ、１１１ｄはそれぞれ、モータ駆動回路１０２ｂ、光重合駆動回路１０２ｃ、診断器回路１０２ｄに接続されている。通電接続端子１１１ｅは、共通の電源ライン１１３であるアース線に接続されている。また、接続端子１１１ｆ，１１１ｇは、それぞれ、エアーライン１１６、水ライン１１７に接続されている。
【００１８】
また、通電接続端子１１１ｈ，１１１ｉ，１１１ｊは、スケーラ１０６ａの照明用の電源ライン１１３ａ、マイクロモータハンドピース１０６ｂの照明用の電源ライン１１３ｂ，センサ用の電源ライン１１３ｃに接続されている。これらは、通電検知には関与しないが、スケーラなど診療機器の種類によっては、補助的に必要な電気作動部である。
【００１９】
この継手部１１２に着脱交換可能に取り付けられる診療機器１０６ａ〜１０６ｄの接続端子１６１ａ〜１６１ｊの位置も、このマルチジョイントチューブ１０１の通電接続端子１１１ａ〜１１１ｊの位置に対応させて設置されている。
【００２０】
マルチジョイント診療機器として構成されたスケーラ１０６ａの継手部１６２ａには、その診療の必要に応じて、電気作動部（不図示）に接続された接続端子１６１ａ、共通線の接続端子１６１ｅ、水ラインの接続端子１６１ｇ、照明用の接続端子１６１ｈを備えているので、このスケーラ１０６ａをマルチジョイントチューブ１０１の継手部１１２に接続すると、スケーラ１０６ａ側の電気、水の接続端子１６１ａ、１６１ｅ、１６１ｇ、１６１ｈと、マルチジョイントチューブ１０１側の電気の通電接続端子１１１ａ，１１１ｅ，水の接続端子１１１ｇ、照明用の通電接続端子１１１ｈとが連通され，スケーラ１０６ａに必要な電源、水が供給され得るようになる。
【００２１】
ここで、図１２の種別入力手段１３４によって、スケーラを接続したことを入力しておけば、制御駆動スイッチ１５１の操作によって、スケーラ駆動回路１０２ａから電源が通電され、接続したスケーラ１０６ａに適した電源が供給されることになる。
【００２２】
マルチジョイント診療機器として構成されたマイクロモータハンドピース１０６ｂの継手部１６２ｂには、その診療の必要に応じて、電気作動部（不図示）に接続された接続端子１６１ｂ、共通線の接続端子１６１ｅ、水ラインの接続端子１６１ｇ、エアーラインの接続端子１６１ｆ、照明用の接続端子１６１ｉ、センサ用の接続端子１６１ｊを備えているので、マイクロモータハンドピース１０６ｂをマルチジョイントチューブ１０１の継手部１１２に接続すると、スケーラ１０６ａの場合と同様に、対応する端子が連通し、マイクロモータハンドピース１０６ｂに必要な電源、空気、水が供給され得るようになる。
【００２３】
また、ここで、スケーラ１０６ａの場合と同様に、図１２の種別入力手段１３４によって、マイクロモータハンドピースを接続したことを入力しておけば、同様に、制御駆動スイッチ１５１の操作がされると、必要な電源、空気、水が供給されることになる。
【００２４】
同様に、光重合器１０６ｃの継手部１６２ｃには、その診療の必要に応じて、電気作動部（不図示）に接続された接続端子１６１ｃ、共通線の接続端子１６１ｅ、エアーラインの接続端子１６１ｆを備えており、根管長測定器１０６ｄの継手部１６２ｄには、その診療の必要に応じて、電気作動部（不図示）に接続された接続端子１６１ｄ、共通線の接続端子１６１ｅを備えているので、上述のスケーラ１０６ａ、マイクロモータハンドピース１０６ｂの場合と同様に、これらを接続するだけで、光重合器１０６ｃ、根管長測定器１０６ｄに必要な電源、空気などが供給されるようになる。
【００２５】
また、上述した種別入力手段１３４を設ける替わりに、この医療装置では、それぞれの電源ラインの導通による通電を検知する通電検知手段を設ければ、それだけで、どの診療機器が接続されたかを判別することができ、それを利用すれば、診療機器を接続するだけで、その種別を自動判別し、その診療機器に必要な電源、水、空気などを供給することができる。
【００２６】
このようなマルチジョイントチューブを備えた医療装置、マルチジョイント診療機器によると、所望のマルチジョイント診療機器をマルチジョイントチューブに接続するだけで、必要な端子間のみが連通され、その診療機器の種別を手動入力するか、あるいは、自動の通電検知により接続されたマルチジョイント診療機器の種類が自動的に判別されるかして、その診療機器に必要な電源などを供給することができる。
【００２７】
このようにすると、確実に接続した診療機器に必要な電源が供給されると共に、他の通電接続端子は導通されないので、万が一、他の電源供給回路が誤作動しても、電源が通電されることがなく安全であり、通電接続端子の設置位置を考慮し、また、簡単な構造の通電検知手段を設けるだけでよいので、安価に目的を達成することができた。
【００２８】
【発明が解決しようとする課題】
しかしながら、上述のマルチジョイントチューブを備えた医療装置においては、通電検知により、接続された診療機器を判別するためには、診療機器の種類に対応させて、通電接続端子と通電検知用の電源ラインが必要であった。したがって、診療機器の種類が増えれば、増えるほど、通電接続端子の数と電源ラインの本数が増えることとなる。
【００２９】
一方、診療機器によっては、上述のスケーラ、マイクロモータハンドピースのように、その診療機器本来の電気作動部以外に、補助的に、照明や、センサなどの電気作動部が必要なこともある。また、マイクロモータハンドピースのモータが三相交流モータである場合など、その本来の電気作動部自身に、共通線以外の電源ラインが複数本必要な場合もある。
【００３０】
このような場合にも、上述のスケーラ、マイクロモータハンドピースに対応するマルチジョイントチューブの例でも示したように、通電接続端子の数と電源ラインの本数が増えることとなる。
【００３１】
このように通電接続端子の数と電源ラインの本数が増えると、継手部が大きく複雑になるとともに、チューブが重く、固く、太くなり、その先端に装着した診療機器の操作性が悪くなる。また、全体として、コストアップとなる。
【００３２】
そこで、この通電接続端子の数と電源ラインの本数を少なくすることができるマルチジョイントチューブが望まれていた。
【００３３】
本発明は、このような事情に鑑みてなされたもので、構造が簡単で、一本のマルチジョイントチューブに、種々の診療機器を着脱交換可能に取り付けると、自動的に、その診療機器に合わせた電源などの供給ができ、さらに、電源ラインの本数が少なくでき、操作性のよいマルチジョイントチューブを備えた医療装置、マルチジョイント診療機器、マルチジョイント用アダプタを提供することを目的としている。
【課題を解決するための手段】
請求項１から３においては、マルチジョイントチューブを備えた医療装置、請求項４ではマルチジョイント診療機器、請求項５ではマルチジョイント用アダプタを提案している。
【００３４】
請求項１に記載のマルチジョイントチューブを備えた医療装置は、電気作動部を有した種々の診療機器を着脱交換可能に取付けできるようにした継手部を備えたマルチジョイントチューブを医療装置本体部から導出させた医療装置において、上記マルチジョイントチューブの継手部は、その継手部に接続される全ての診療機器の電気作動部を作動させる為の電源ラインに対応可能で、かつ、それぞれの位置が異なるように配設された通電接続端子を備え、
上記医療装置本体部は、接続されるべき診療機器の診療機器の電気作動部の種類に合わせた電源を給電するようにした電源供給回路と、上記電源供給回路から電源が給電可能とされた状態で、いずれかの診療機器が上記マルチジョイントチューブの継手部に接続され、その診療機器に固有の電気作動部に対応した通電接続端子が導通されることで、その電源ラインの通電有無を検知するようにした通電検知手段と、上記マルチジョイントチューブの継手部に接続され、上記通電検知手段によって通電検知された診療機器の種類に合わせた電源供給回路を選択して、電源を給電させるようにした電源制御部と、上記選択された電源供給回路と上記通電検知手段によって判別された診療機器の種類に合わせて、その電源供給回路と、その診療機器の接続端子が接続された通電接続端子とを切換接続する電源切換手段とを備えていることを特徴とする。
【００３５】
ここで、医療装置とは、診療機器を医療装置本体部から導出させたチューブに着脱して用い、その診療機器に電源、水、空気を供給して、診断や治療をする医療装置の全てを含むもので、歯科用医療装置を始めとして、耳鼻咽喉科、産婦人科、泌尿器科、眼科などで用いられる医療装置が含まれるものである。
【００３６】
診療機器とは、診断や治療のために電源、水、空気を用いるものを全て含むもので、電源などの用い方は問わない。例えば、電気駆動装置により切削、研磨などをするもの、清浄水や薬液などを治療のために噴射、放出するもの、電気の作用によって治療などをするもの、診断用に、所定の電気接点の組み合わせで電圧、電流などを測定するような診断器なども含み、歯科分野においては、このような診療機器としては、種々のハンドピース、エアータービンハンドピース、マイクロモータハンドピースや、スケーラ、光重合器、根管長測定器、口腔カメラなどが含まれる。
【００３７】
また、電源供給回路は、それぞれの通電接続端子に対応させて個別、独立に設けても良いし、また、共通の電源供給回路に電圧、電流、周波数などを調整できる手段を備えて、診療機器の種類に合わせた電源を供給できるようにしてもよい。また、電気ラインのうち、少なくとも１本は、共通ラインとして共用するようにしている。
【００３８】
この医療装置において、マルチジョイントチューブの継手部には、診断治療に必要な診療機器の電気作動部への電源ラインを考慮して、全てに対応できるように必要な通電接続端子が設けられており、この通電接続端子の位置は、全て異なるように構成されている。しかも、この通電接続端子に接続され、それぞれの電源ラインに接続された診療機器の種類に合わせた電源を給電する電源供給回路が設けられている。
【００３９】
つまり、ある通電接続端子に接続される診療機器の種類が予め決められており、その設置位置も固有であり、その通電接続端子に対応する電源ラインには、専用の電源供給回路が設けられているので、接続すべき診療機器側の接続端子もその位置に合うようになっておれば、これらの端子間のみが導通され、その通電接続端子に対応した電源供給回路を駆動させれば、その診療機器に必要な電源を給電することができる。
【００４０】
このようにすると、確実に接続した診療機器に必要な電源が供給されると共に、他の通電接続端子は導通されないので、万が一、他の電源供給回路が誤作動しても、電源が通電されることがなく安全である。
【００４１】
また、またこのような通電検知方法を用いるためには、通電接続端子と電源ラインは、少なくとも診療機器の種類に対応した数が必要となるが、通電検知後、診療機器に通常の通電をする場合には、従来の方法では、他の診療機器の通電検知に使われる通電接続端子と電源ラインは使われないままであった。
【００４２】
本発明では、これらの通電検知後は使用されていなかった電源ラインを、接続された診療機器の必要な電気作動部のために有効利用することを特徴とし、そのために、通電検知後に空いている通電接続端子と電源ラインを、通電検知によって判別された診療機器とその診療機器のための電源供給回路の間の必要な電源ラインの接続をするために利用できるように切り換える電源切換手段を備えている。
【００４３】
したがって、必要な通電接続端子と電源ラインの数を少なくすることができ、マルチジョイントチューブ自体を細くでき、軽量化でき、また、継手部を含めて全体の小型化が図れ、マルチジョイントチューブに接続して使用する診療機器の操作性を向上させるとともに、コストダウンを図ることができる。
【００４５】
この医療装置は、さらに、通電検知手段を設け、それによって通電検知をした電源供給ラインに通常パワーの電源を供給させるようにしている。
【００４６】
つまり、ある通電接続端子の通電を検知し、その通電接続端子に接続された電源供給回路に通電させれば、間違いなく、接続された診療機器に相応しい電源が供給される上に、通常の電源供給時に、利用されていなかった他の診療機器の通電検知のための電源ラインが有効利用され、通電接続端子と電源ラインの数を減らすことができるという請求項１に記載の基本発明の特徴を、通電検知手段を設けることによって、更に、有効利用している。
【００４７】
請求項２に記載のマルチジョイントチューブを備えた医療装置は、請求項１に記載の医療装置において、上記通電検知手段は、複数の電源ラインの通電を検知した場合には、予め用意された通電検知される電源ラインと診療機器の種類を対応付けた通電判別テーブルによって、接続された診療機器を判別するようにしたことを特徴とする。
【００４８】
この医療装置は、通電検知後使用されない電源ラインを、駆動時の補助の電源ラインとして用いた場合、通電検知においても、その電源ラインが通電されるという状況を利用して、診療機器に対応させて、補助に使用する電源ラインを予め決めて通電判別テーブルを用意しておき、複数の電源ラインの通電が検知された場合には、その通電判別テーブルによって、どの診療機器が接続されたかを判別するものである。
【００４９】
こうして、共通ラインを増やすことなく、電源ラインの有効利用を図るとともに、診療機器の判別もすることができる。
【００５０】
請求項３に記載のマルチジョイントチューブを備えた医療装置は、請求項１または２に記載の医療装置において、上記電源供給回路は、三相交流電源を含んでおり、上記電源切換手段は、その三相交流電源の３つの電源ラインのうち、いずれか１つを、通電検知時には、共通電源ラインに接続保持する構成としている。
【００５１】
この診療機器は、マイクロモータハンドピースなど、モータを用いるハンドピースが三相交流電源を用いる場合に、本発明の基本思想を利用したものである。つまり、三相交流電源を用いる場合、この電気作動部だけで３本の電源ラインが必要となる。一方、この三相交流電源によるモータの駆動時には、この三相の線の一本が共通ラインの役割をしている。そこで、通電検知のときの共通電源ラインとして、この三相の電源ラインを利用することとしたもので、この方法でも、通電接続端子と電源ラインの数を減らすことができる。
請求項４に記載のマルチジョイント診療機器は、請求項１〜３のいずれかに記載のマルチジョイントチューブに接続して用いられる少なくとも電気作動部を備えたマルチジョイント診療機器であって、そのマルチジョイント診療機器の継手部は少なくとも電気作動部用の接続端子を含み、当該継手部の電気作動部に対応した接続端子が、上記マルチジョイントチューブの継手部の通電接続端子に対応して設けられ、かつこの通電接続端子の接続による導通が上記通電検知手段で検知可能とされていることを特徴とする。
【００５２】
このマルチジョイント診療機器は、上述のような特徴を有するマルチジョイントチューブの継手部に着脱交換可能なように取り付けられるように構成されたものである。
【００５３】
つまり、上述したように、本発明のマルチジョイントチューブでは、いずれの診療機器でも着脱交換可能にするためには、その継手部に設けられた電源ラインの通電接続端子と、水ライン、空気ラインの接続端子は、それぞれ種類ごとに、所定の決まった位置になければならない。
【００５４】
さらに、診療機器を接続して使用するときには、その診療機器の通電検知のための通電接続端子だけでなく、その診療機器にひつような電源ラインに接続された接続端子が、マルチジョイントチューブの継手部の他の診療機器の通電検知のための通電接続端子であって使用されていないものを有効利用するように、その位置が考慮されたものでなくてはならない。
【００５５】
このマルチジョイント診療機器は、そのような接続端子を設けた継手部を備えたものである。したがって、このマルチジョイント診療機器と組み合わせて用いることで、相乗的に、請求項１〜３のマルチジョイントチューブを備えた医療装置の効果が発揮される。
【００５６】
請求項５に記載のマルチジョイントアダプタは、スケーラ、ハンドピース、光重合器、診断器などの診療機器を、請求項１〜３のいずれかに記載のマルチジョイントチューブに接続するために用いられるマルチジョイントアダプタであって、少なくともメイン及びサブ電気作動部を備えた診療機器の接続すべき接続端子に対応させた少なくとも電気作動部用の通電接続端子を含む機器接続端子を設けた機器継手部と、上記マルチジョイントチューブの継手部の通電接続端子のうち、その接続すべき診療機器のメイン電気作動部、サブ電気作動部への電源ラインに対応すべき通電接続端子に対応させたチューブ接続端子を設けたチューブ継手部とを備え、対応した機器接続端子とチューブ接続端子とを導通させた構成としている。
【００５７】
このマルチジョイントアダプタは、従来の診療機器を、マルチジョイントチューブに接続するためのアダプタである。これにより、マルチジョイントチューブを用いる場合でも、従来からある診療機器を無駄にすることがない。
【００５８】
【発明の実施の形態】
以下に、本発明の実施の形態について図とともに説明する。
【００５９】
図１は、本発明のマルチジョイントチューブを備えた医療装置の参考例を概念的に説明するブロック図である。
【００６０】
このマルチジョイントチューブを備えた医療装置１０は、マルチジョイントチューブ１を導出させた医療装置本体部５を備え、このマルチジョイントチューブ１の先端の継手部１２に、必要なマルチジョイント診療機器６ａ〜６ｄを着脱交換可能に取り付け、診断、治療を行うことができる。
【００６１】
この医療装置は、一例として、歯科用医療装置の場合を示しており、その場合には、これらのマルチジョイント診療機器は、図示したように例えば、スケーラ６ａ、マイクロモーターハンドピース６ｂ、光重合器６ｃ、根管長測定器６ｄとなっている。
【００６２】
マルチジョイントチューブ１は、例えば、可撓性チューブで構成され、診療機器を接続して診断、治療する際に、操作性を向上させている。そのチューブ１の一端には上述の継手部１２、他端には、医療装置本体部５の本体基端部５３と接続するための基端継手部１５が設けられている。
【００６３】
医療装置本体部５には、接続される診療機器６ａ〜６ｄに合わせて必要な電源を供給する電源供給回路のスケーラ駆動回路２ａ、モータ駆動回路２ｂ、光重合駆動回路２ｃ、根管長測定器６ｄ用の診断器回路２ｄ、駆動用あるいは冷却用の空気を供給するエアー回路２ｅ、洗浄用あるいは冷却用の水を供給する水回路２ｆが備えられ、これらの回路を電源制御部３が制御している。
【００６４】
電源制御部３には、電源３１、加圧空気源３２、給水源３３が接続され、電源制御部３自体の制御や駆動に用いられると共に、それぞれの回路２ａ〜２ｆに必要な電源、空気、水を供給している。また、電源制御部３には、術者がマルチジョイントチューブ１に取り付け接続された診療機器の種類を手動入力するための種別入力手段３４と、フットスイッチなどで構成され、接続された診療機器に必要な電源、空気、水などを供給させて診断、治療を行うための制御駆動スイッチ５１が接続されている。
【００６５】
この種別入力手段３４は、術者の入力後、入力された種類の診療機器のための電源供給回路を駆動させて、その電源供給回路が通電するかを検知し、通電しない場合には、術者の誤入力と判断して、警告音などを発するようにすると良い。
【００６６】
上述したスケーラ駆動回路２ａ、モータ駆動回路２ｂ、光重合駆動回路２ｃ、診断器回路２ｄから、それぞれ、専用の電源ライン１３と、さらに、スケーラ駆動回路２ａからは、スケーラ６ａの照明用の電源ライン１３ａ、モータ駆動回路２ｂからは、マイクロモータハンドピース６ｂの照明用の電源ライン１３ｂ，マイクロモータの回転数を検知するセンサ用の電源ライン１３ｃも同様に導出されている。また、共通線の電源ライン１３も設けられている。
【００６７】
これらの合計８本の電源ライン１３、１３ａ〜１３ｃは、電源切換手段３５によって、５本の電源ライン１３に切換接続され、エアー回路２ｅから導出されたエアーライン１６、水回路２ｆから導出された水ライン１７と共に、本体基端部５３でまとめられて、更に、図示していないが、マルチジョイントチューブ１内を通って、継手部１２の通電接続端子（後述する）などに接続され、この継手部１２に接続された診療機器に必要な電源、加圧空気、水を供給するようになっている。
【００６８】
図示したように、各電源ライン１３、１３ａ〜１３ｃに符号を付しているのは、電源切換手段３５について説明するためのものである。
【００６９】
つまり、電源切換手段３５に、それぞれの電源供給回路２ａ〜２ｄから入力されている電源ライン１３を、ｍ１１（スケーラ駆動用）、ｍ１２（スケーラ照明用）、ｍ２１（モータ駆動用）、ｍ２２（モータ照明用）、ｍ２３（モータセンサ用）、ｍ３（光重合器駆動用）、ｍ４（診断器用）、ｍ０（共通線用）とし、電源切換手段３５から本体基端部５３側へ出力している電源ライン１３を、ｅ１（スケーラ通電用）、ｅ２（モータ通電用）、ｅ３（光重合器通電用）、ｅ４（診断器通電用）、ｅ０（共通線用）としている。
【００７０】
図２は、図１の医療装置に設けられた電源切換手段の切換態様を説明する図であって、これにより、電源切換手段３５について説明する。
【００７１】
電源切換手段３５は、診療機器の接続後、駆動させるまでの（ａ）待機状態の場合と、種別入力手段３４による術者の種別入力とその確認後、その種別に応じて、（ｂ）スケーラ駆動、（ｃ）モータ駆動、（ｄ）光重合器駆動、（ｅ）診断器作動をそれぞれさせる場合には、この図に示したように、その８点の電源ラインｍ１１（スケーラ駆動用）、ｍ１２（スケーラ照明用）、ｍ２１（モータ駆動用）、ｍ２２（モータ照明用）、ｍ２３（モータセンサ用）、ｍ３（光重合器駆動用）、ｍ４（診断器用）、ｍ０（共通線用）の入力と、５点の電源ラインｅ１（スケーラ通電用）、ｅ２（モータ通電用）、ｅ３（光重合器通電用）、ｅ４（診断器通電用）、ｅ０（共通線用）の出力を切換接続する。
【００７２】
こうして、入力側の８本の電源ラインを、出力側の５本で済むようにしている。
【００７３】
図３は、本発明のマルチジョイントチューブとマルチジョイント診療機器の一例を概念的に説明する斜視図である。これより、既に説明した部分については、同一の符号を付して、重複説明を省略する。
【００７４】
図１のマルチジョイントチューブを備えた医療装置１０では、マルチジョイントチューブ１の継手部１２の構造を特徴とし、この継手部１２に着脱交換可能に取り付けるマルチジョイント診療機器６ａ〜６ｄも、それに対応したものとなっている。
【００７５】
マルチジョイントチューブ１の継手部１２においては、そのマルチジョイントチューブ１に着脱可能に取り付けられる診療機器を考慮して、いずれの診療機器に対しても、必要な電源、空気、水が供給されるように、電源ラインの通電接続端子、水ライン、エアーラインの接続端子は、それぞれ種類ごとに、所定の決まった位置になければならない。
【００７６】
この継手部１２に設けられた通電接続端子１１ａ、１１ｂ、１１ｃ、１１ｄ、１１ｅは、そのような点を考慮して設けられた電源用の接続端子であり、それぞれ、図１で説明した電源ラインｅ１（スケーラ通電用）、ｅ２（モータ通電用）、ｅ３（光重合器通電用）、ｅ４（診断器通電用）、ｅ０（共通線用）に接続され、電源切換手段３５の出力端子となっている。また、接続端子１１ｆ，１１ｇは、それぞれ、エアーライン１６、水ライン１７に接続されている。
【００７７】
この継手部１２に着脱交換可能に取り付けられる診療機器６ａ〜６ｄの接続端子６１ａ〜６１ｇの位置も、このマルチジョイントチューブ１の通電接続端子１１ａ〜１１ｇの位置に対応させて設置されている。さらに、この発明では、診療機器を駆動させるときには、上述したように、空いている電源ラインを有効利用するようした電源切換手段３５を備えているので、マルチジョイント診療機器の接続端子も、その有効利用された電源ラインに接続された通電接続端子に対応したものでなければならない。
【００７８】
マルチジョイント診療機器として構成されたスケーラ６ａの継手部６２ａには、その診療の必要に応じて、電気作動部（不図示）に接続された接続端子６１ａ、ランプ用の接続端子６１ｂ、共通線の接続端子６１ｅ、水ラインの接続端子６１ｇを備えている。この接続端子６１ｂは、通電接続端子１１ｂに対応したものである。
【００７９】
このスケーラ６ａをマルチジョイントチューブ１の継手部１２に接続すると、スケーラ６ａ側の電気、水の接続端子、６１ａ、６１ｂ、６１ｅ、６１ｇと、マルチジョイントチューブ１側の電気の通電接続端子１１ａ，１１ｂ，１１ｅ，水の接続端子１１ｇとが連通される。
【００８０】
ここで、電源切換手段３５は、待機状態では、図２（ａ）の接続となっており、電源ラインとしては、接続端子６１ａ−１１ａ−ｅ１−ｍ１１−スケーラ駆動回路２ａ、接続端子６１ｅ−１１ｅ−ｅ０−ｍ０−アースというラインが閉成され、スケーラ駆動の電源ライン１３が通電可能となり、スケーラ６ａに必要な電源、水が供給され、また、通電接続端子１１ｂが１１ｂ−ｅ２−ｍ１２と導通して、スケーラランプ用電源に接続されて、ランプ電源が供給され得るようになる。
【００８１】
ここで、図１の種別入力手段３４によって、スケーラを接続したことを入力しておけば、制御駆動スイッチ５１の操作によって、スケーラ駆動回路２ａから電源が通電され、接続したスケーラ６ａに適した電源が供給されることになる。
【００８２】
マルチジョイント診療機器として構成されたマイクロモータハンドピース６ｂの継手部６２ｂには、その診療の必要に応じて、電気作動部（不図示）に接続された接続端子６１ｂ、共通線の接続端子６１ｅ、水ラインの６１ｇ、エアーラインの接続端子６１ｆと更に、ランプ用の接続端子６１ａ、センサ用の接続端子６１ｃを備えているので、マイクロモータハンドピース６ｂをマルチジョイントチューブ１の継手部１２に接続すると、スケーラ６ａの場合と同様に、対応する端子が連通し、マイクロモータハンドピース６ｂに必要な電源、空気、水が供給され、また、通電接続端子６１ａが１１ａ−ｅ１−ｍ２２と導通してモータランプ用電源に接続され、通電接続端子６１ｃが１１ｃ−ｅ３−ｍ２３と導通してモータセンサ用電源に接続され、それぞれ電源が供給され得るようになる。
【００８３】
また、ここで、スケーラ６ａの場合と同様に、図１の種別入力手段３４によって、マイクロモータハンドピースを接続したことを入力しておけば、制御駆動スイッチ５１の操作によって、モータ駆動回路２ｂから電源が通電され、接続したマイクロモータハンドピース６ｂに適した電源が供給されることになる。
【００８４】
同様に、光重合器６ｃの継手部６２ｃには、その診療の必要に応じて、電気作動部（不図示）に接続された接続端子６１ｃ、共通線の接続端子６１ｅ、エアーラインの接続端子６１ｆを備えており、根管長測定器６ｄの継手部６２ｄには、その診療の必要に応じて、電気作動部（不図示）に接続された接続端子６１ｄ、共通線の接続端子６１ｅを備えているので、上述のスケーラ６ａ、マイクロモータハンドピース６ｂの場合と同様に、これらを接続するだけで、光重合器６ｃ、根管長測定器６ｄに必要な電源、空気などが供給され得るようになる。
【００８５】
このように、図１、図２、図３で説明したマルチジョイントチューブを備えた医療装置、マルチジョイント診療機器によると、所望のマルチジョイント診療機器をマルチジョイントチューブに接続するだけで、必要な端子間のみが導通され、導通された通電接続端子に対応した電源供給回路を駆動させれば、その診療機器に必要な電源を給電することができる。
【００８６】
このようにすると、確実に接続した診療機器に必要な電源が供給されると共に、他の通電接続端子は導通されないので、万が一、他の電源供給回路が誤作動しても、電源が通電されることがなく安全である。
【００８７】
さらに、通電検知後に使用されていなかった電源ラインも必要に応じて補助の電源供給用に使用されるので、電源ラインの本数の増加を押さえることができる。
【００８８】
また、ここでは、接続した診療機器を判別する方法として種別入力手段３４を例として示したが、これだけに限らない。例えば、後述するように総当たり的に、電源を給電可能として、導通した電源供給回路のみに給電させるようにしてもよい。
【００８９】
図４は、本発明のマルチジョイントアダプタの一例を概念的に説明する斜視図である。
【００９０】
このマルチジョイントアダプタ７ａ〜７ｄは、既存のマルチジョイントでない診療機器を、本発明のマルチジョイントチューブに着脱可能に取り付けて使用することができるようにするためのものである。
【００９１】
この例では、既存の診療機器であるスケーラＡ１の継手部Ｃ１には、電源用、水用、共通線用、ランプ用の接続端子Ｄ１，Ｄ２，Ｄ３，Ｄ４が設けられているが、その設置位置は、マルチジョイントを考慮したものでなく、これをそのまま、マルチジョイントチューブ１に接続しても、対応した接続端子同士が連通されることはない。
【００９２】
同様に、マイクロモータハンドピースＡ２の継手部Ｃ２には、電源用、空気用、ランプ用、水用、共通線用、センサ用の接続端子Ｄ５，Ｄ６，Ｄ７，Ｄ８，Ｄ９，Ｄ１０が、光重合器Ｂ３の継手部Ｃ３には、空気用、共通線用、電源用の接続端子Ｄ１１，Ｄ１２，Ｄ１３が、根管長測定器Ｂ４の継手部Ｃ４には、電源用と共通線用の接続端子Ｄ１４，Ｄ１５が設けられているが、いずれも、そのままでは、マルチジョイントチューブ１に接続して使用することができない。
【００９３】
マルチジョイントアダプタ７ａ〜７ｄは、このような既存の診療機器Ａ１〜Ａ４毎に用意されるもので、スケーラ用アダプタ７ａには、診療機器を接続する側の機器継手部７１ａに、スケーラＡ１の継手部Ｃ１の電源用、水用、共通線用、ランプ用の接続端子Ｄ１，Ｄ２，Ｄ３、Ｄ４の位置に対応させて、電源用、水用、共通線用，ランプ用の機器接続端子７２ａ，７２ｂ，７２ｃ、７２ｄが設けられ、一方、マルチジョイントチューブを接続する側のチューブ継手部７３ａには、マルチジョイントチューブ１の継手部１２のスケーラ用の通電接続端子１１ａ、水用の接続端子１１ｇ，共通線の通電接続端子１１ｅの位置に対応させて、電源用、水用、共通線用のチューブ接続端子７４ａ、７４ｇ、７４ｅと、さらに、モータ通電検知用の通電接続端子１１ｂの位置に対応させてランプ用の接続端子７４ｂが設けられている。
【００９４】
そして、このスケーラ用アダプタ７ａの機器継手部７１ａの接続端子７２ａ，７２ｂ，７２ｃ，７２ｄと、チューブ継手部７３ａの接続端子７４ａ、７４ｇ、７４ｅ，７４ｂは、図示したように、それぞれ連通されている。
したがって、既存のスケーラＡ１をスケーラ用アダプタ７ａの機器継手部７１ａに接続し、スケーラ用アダプタ７ａのチューブ継手部７３ａをマルチジョイントチューブ１の継手部１２に接続すれば、スケーラＡ１の電源用、水用、共通線用、ランプ用の接続端子Ｄ１，Ｄ２，Ｄ３、Ｄ４が、結果的に、マルチジョイントチューブ１のスケーラ用の通電接続端子１１ａ、水用の接続端子１１ｇ，共通線の通電接続端子１１ｅ，モータ通電検知用の通電接続端子１１ｂと連通し、図３のマルチジョイント診療機器として構成されたスケーラ６ａと同様の機能を発揮する。
【００９５】
モータ用アダプタ７ｂの機器継手部７１ｂには、同様に、既存のマイクロモータハンドピースＡ２の接続端子Ｄ５，Ｄ６、Ｄ７，Ｄ８，Ｄ９，Ｄ１０に対応させて、機器接続端子７２ｅ，７２ｆ，７２ｇ，７２ｈ，７２ｉ，７２ｊが設けられ、チューブ継手部７３ｂには、マルチジョイントチューブ１の接続端子１１ａ，１１ｂ，１１ｆ、１１ｇ、１１ｅ，１１ｃに対応させてチューブ接続端子７４ａ，７４ｂ，７４ｆ，７４ｇ，７４ｅ，７４ｃが設けられ、機器継手部７１ｂ側の機器接続端子７２ｅ，７２ｆ，７２ｇ，７２ｈ，７２ｉ，７２ｊとそれに対応したチューブ継手部７３ｂ側のチューブ接続端子７４ａ，７４ｂ，７４ｆ，７４ｇ，７４ｅ，７４ｃとが、図示したように連通されている。
【００９６】
したがって、既存のマイクロモータハンドピースＡ２をモータ用アダプタ７ｂの機器継手部７１ｂに接続し、チューブ継手部７３ｂをマルチジョイントチューブ１の継手部１２に接続すれば、マイクロモータハンドピースＡ２の電源用、空気用、ランプ用、水用、共通線用、センサ用の接続端子Ｄ５，Ｄ６、Ｄ７，Ｄ８，Ｄ９，Ｄ１０が、マルチジョイントチューブ１のスケーラ用、モータ電源用、空気用、水用、共通線用、光重合器用の接続端子１１ａ，１１ｂ，１１ｆ、１１ｇ、１１ｅ，１１ｃに連通されて、図３マルチジョイント診療機器として構成されたマイクロモータハンドピース６ｂと同様の機能を発揮する。
【００９７】
同様な方法で対応関係と連通を考慮して、光重合器用アダプタ７ｃの機器継手部７１ｃには機器接続端子７２ｋ，７２ｌ，７２ｍ，チューブ継手部７３ｃにはチューブ接続端子７４ｆ，７４ｅ，７４ｃが設けられ、根管長測定器用アダプタ７ｄの機器継手部７１ｄには機器接続端子７２ｎ，７２ｏ、チューブ継手部７３ｄにはチューブ接続端子７４ｄ，７４ｅが設けられている。
【００９８】
したがって、既存の光重合器Ａ３，根管長測定器Ａ４に、これらの光重合器用アダプタ７ｃ、根管長測定器用アダプタ７ｄをそれぞれ接続すれば、図３のマルチジョイント診療機器として構成された光重合器６ｃ，根管長測定器６ｄと同様の機能を発揮する。
【００９９】
このようにして、マルチジョイントアダプタ７ａ〜７ｄを用いることによって、既存の診療機器Ａ１〜Ａ４を、マルチジョイントチューブ１に着脱交換可能に取付ることができ、マルチジョイント診療機器と同様な用い方をすることができる。したがって、医療装置を本願発明のマルチジョイントチューブを備えた医療装置に変更した場合でも、マルチジョイントアダプタを用意するだけで、既存の診療機器を無駄にすることなく継続して使用することができ，同様に、通電検知後の使用されていない電源ラインの有効利用を図ることができ、電源ラインの増加を押さえることができる。
【０１００】
これより、上述のマルチジョイントチューブを備えた医療装置を基礎として、更に、接続した診療機器の判別も医療装置で自動的に行えるようにしたマルチジョイントチューブを備えた医療装置について説明する。
図５は、そのような、本発明のマルチジョイントチューブを備えた医療装置の一例を概念的に説明するブロック図である。
【０１０１】
このマルチジョイントチューブ備えた医療装置１０Ａは、図１の医療装置１０に比べ、マルチジョイントチューブ１に診療機器６ａ〜６ｄのいずれかが接続されたときに、その接続によって、導通される電源ライン１３の通電を検知する通電検知手段４を備えていることを特徴とする。
【０１０２】
それぞれの電源ライン１３には、直列に小容量、例えば、１オーム程度の抵抗素子で構成された通電検出素子４１を直列に入れ、通電検出手段４は、このそれぞれの通電検出素子４１に生じる電圧、または、電流をそれぞれ検知できるようになっている。
【０１０３】
通電検出手段４は、電源制御部３に接続され、通電検知の結果を知らせる通電検知信号を電源制御部３に送る。
【０１０４】
この医療装置１０Ａは、このような構成となっているので、電源ライン１３の通電を、通電検出素子４で検知するだけで、診療機器６ａ〜６ｄのいずれが、マルチジョイントチューブ１に接続されたかを検知することができ、その検知結果に基づき、判別された電源供給回路から電源を給電し、また、必要な水、空気を診療機器に合わせて供給することができる。つまり、診療機器をマルチジョイントチューブに接続するだけで、自動的に、その診療機器を判別し、必要な電源などを供給することができる。
【０１０５】
また、通電検出素子４１は、小容量なので、通常の電源通電時に、障害とならない。
【０１０６】
図６は、図５の医療装置に設けられた電源切換手段の切換態様を説明する図である。図７は、図５のマルチジョイントチューブとそれに対応したマルチジョイント診療機器の接続態様を説明する図である。
【０１０７】
この図６は、基本的には、図２と同じものである。相違するのは、図２の場合には、診療機器の種別は、種別入力手段でおこなっていたので、電源切換手段の切換態様が、通電検知の態様とは無関係であったが、ここでは、その切換態様が通電検知の態様と関連性を有することである。この関連性について、図６、図７を用いて説明する。
【０１０８】
図７は、医療装置１０Ａのマルチジョイントチューブ１の通電接続端子１１ａ〜１１ｅと電源切換手段３５の出力ｅ１〜ｅ４，ｅ０との接続、マルチジョイント診療機器６ａ〜６ｄの接続端子の構成を模式的に示したものである。
【０１０９】
図６（ａ）、図７（ａ）を対比すると解ることは、このようなマルチジョイント診療機器として構成されたスケーラ６ａをマルチジョイントチューブ１に接続して通電検知手段４によって通電検知すると、ｅ１とｅ２が接続されるので、スケーラ６ａを接続しているのに、スケーラ、マイクロモータハンドピースの両方を接続していると判別するようにも見える。
【０１１０】
しかしながら、この際、スケーラのランプ用接続端子に、独立のアース線が設けられているのが通例であるので、ｅ２は共通線用のｅ０とは導通しておらず、通電検知はされない。
【０１１１】
一方、さらに、ランプ用のアース線も共通線用のｅ０で兼用して、さらに、電源ラインの節約を図る場合には、ｅ１以外にｅ２の通電を検知した場合（図中の○印）には、スケーラであるとの対応付けをした通電検知テーブルを用意しておき、それを参照することで、診療機器がスケーラであると判別することができる。つまり、この図７に示した○印は、そのような通電検知テーブル４２を構成している。
【０１１２】
同様のことは、図６（ａ），図７（ｂ）を対比しても言えることである。つまり、マイクロモータハンドピース６ｂについては、ランプとセンサ用に、独立のアース線が用いられている場合には、このままで、ｅ２だけの通電検知で、診療機器がマイクロモータハンドピース６ｂであることが判別でき、アース線をｅ０で共有する場合には、通電検知テーブル４２で、ｅ２以外に、ｅ１、ｅ３の通電を検知した場合はマイクロモータハンドピース６ｂであると対応づけておけば、複数の通電検知をした場合でも、それがマイクロモータハンドピース６ｂであることを判別することができる。
【０１１３】
光重合器、根管長測定器については、図６（ａ）と図７（ｃ）、（ｄ）の対比から解るように、１対１に接続されるので、通電検知による判別も問題がない。
【０１１４】
こうして、電源切換手段３５を用いた場合でも、通電検知手段４を用いて、独立のアース線や、通電検知テーブルを用いて、接続された診療機器の種別を判別することができる。
【０１１５】
なお、この通電検知テーブルは、どの複数の電源ラインの通電検知がなされたかで、診療機器の判別をするものであるが、簡単のためには、例えば、複数の場合には、その通電検知された電源ラインの本数、上記スケーラなら２本、マイクロモータハンドピースなら３本で判断することもできる。
【０１１６】
図８は、本発明のマルチジョイントチューブを備えた医療装置の更に他例を概念的に説明するブロック図である。
【０１１７】
この医療装置１０Ｂは、図５の医療装置１０Ａに比べて、マイクロモータハンドピース６ｅが、三相モータで構成され、モータ駆動回路２ｇもこれに対応して、三相電源を供給できる構成となっている点が相違する。
【０１１８】
このマイクロモータハンドピース６ｅには、ランプも備えられており、三相モータのｕ，ｖ，ｗ相用の電源ライン１３と、ランプ用の電源ライン１３にそれぞれ、記号ｍ２４、ｍ２５，ｍ２６，ｍ２７を付している。
【０１１９】
図９は、この図８の医療装置１０Ｂに設けられた電源切換手段の切換態様を説明する図，図１０は、医療装置１０Ｂのマルチジョイントチューブ１とマルチジョイント診療機器６ａ、６ｅ、６ｃ、６ｄを概念的に説明する斜視図，図１１は、これらのマルチジョイントチューブとそれに対応したマルチジョイント診療機器の接続態様を説明する図である。これらの図９、１０、１１は、上述した図６、図３、図７に対応するものである。
【０１２０】
この場合、通電判別テーブル４２Ａにおいて、マイクロモータハンドピース６ｅは、ｅ２に加え、ｅ１，ｅ３，ｅ４の３本の電源ラインの通電検知に対応するようになっている。しかしながら、この構成では、マイクロモータハンドピース６ｅの共通ラインｍ０とモータ通電用ラインｍ２４は接続されず、これまで説明した検出方法では、これらの線には、接続されていないと判断する。この場合は、三相モータのみの検出として、電源ラインｍ２４とｍ２５、あるいは、電源ラインｍ２４とｍ２６の通電を別途検知し、このいずれかの検知があれば、三相モータであると判断すればよい。
【０１２１】
三相モータの場合の、別の方法としては、図８に示した専用の共通ライン１８と切換スイッチ１９を設け、上記と同様に、何も接続されていないと判断した場合には、切換スイッチ１９をＯＮして、通常の通電検知を行えば、電源ライン２５は共通ラインｍ０と導通することとなるので、電源ライン２５の導通により三相モータを用いたマイクロモータハンドピース６ｅが接続されていることを判別することができる。
【０１２２】
上記の説明から解るように、マイクロモータハンドピース６ｅが三相モータの場合にも、本発明の電源切換手段３５と通電検知手段４は有効であり、その効果を発揮する。また、三相の３本の線の１本は、通電検知時には、共通電源ラインに接続保持するようにしているので、電源ラインの本数の増加を押さえることができる。
【０１２３】
【発明の効果】
請求項１に記載のマルチジョイントチューブを備えた医療装置によれば、通電接続端子の位置を、それぞれの診療機器に対応させて互いに異なるように設け、その通電接続端子に対応した電気ラインに、その診療機器に専用の電源供給回路を設けたので、１本のマルチジョイントチューブに、いずれの診療機器も着脱交換可能に取り付けることができるだけでなく、診療機器を接続すれば、その診療機器に対応した通電接続端子だけが通電し、他の通電接続端子は通電されないので、間違って給電するようなことがなく、安全性も高い。
【０１２４】
更に、電源切換手段によって、通電検知後は使用されていなかった電源ラインを、接続された診療機器の必要な電気作動部のために有効利用することができるので、必要な通電接続端子と電源ラインの数を少なくすることができ、マルチジョイントチューブ自体を細くでき、軽量化でき、また、継手部を含めて全体の小型化が図れ、マルチジョイントチューブに接続して使用する診療機器の操作性を向上させるとともに、コストダウンを図ることができる。
【０１２５】
さらに、通電検知手段を設け、それによって通電検知をした電源供給ラインに通常パワーの電源を供給させるようにしているので、間違いなく、接続された診療機器に相応しい電源が供給される上に、通常の電源供給時に、利用されていなかった他の診療機器の通電検知のための電源ラインが有効利用される。
【０１２６】
請求項２に記載のマルチジョイントチューブを備えた医療装置によれば、請求項１に記載の医療装置の効果に加え、予め用意された通電検知される電源ラインと診療機器の種類を対応付けた通電判別テーブルによって、接続された診療機器を判別するようにしたので、共通ラインを増やすことなく、電源ラインの有効利用を図るとともに、診療機器の判別もすることができる。
【０１２７】
請求項３に記載のマルチジョイントチューブを備えた医療装置によれば、請求項１または２に記載の医療装置の効果に加え、通電検知のときの共通電源ラインとして、三相の電源ラインを利用するので、通電接続端子と電源ラインの数を減らすことができる。
【０１２８】
請求項４に記載のマルチジョイント診療機器によれば、マルチジョイントチューブに着脱交換可能に取り付けて使用することができ、マルチジョイントチューブと相乗的に作用して、請求項１から３に記載のマルチジョイントチューブを備えた医療装置の効果を発揮させることができる。
【０１２９】
請求項５に記載のマルチジョイントアダプタによれば、既存の診療機器を、請求項１〜３のいずれかに記載のマルチジョイントチューブに着脱交換可能に取り付けて使用することができ、マルチジョイントチューブを用いる場合でも、既存の診療機器を無駄にすることがない。
【図面の簡単な説明】
【図１】  本発明のマルチジョイントチューブを備えた医療装置の参考例を概念的に説明するブロック図
【図２】  図１の医療装置に設けられた電源切換手段の切換態様を説明する図
【図３】  図１の医療装置のマルチジョイントチューブとマルチジョイント診療機器の一例を概念的に説明する斜視図
【図４】  本発明のマルチジョイントアダプタの一例を概念的に説明する斜視図
【図５】  本発明のマルチジョイントチューブを備えた医療装置の一例を概念的に説明するブロック図
【図６】  図５の医療装置に設けられた電源切換手段の切換態様を説明する図
【図７】  図５のマルチジョイントチューブとそれに対応したマルチジョイント診療機器の接続態様を説明する図
【図８】  本発明のマルチジョイントチューブを備えた医療装置の他例を概念的に説明するブロック図
【図９】  図８の医療装置に設けられた電源切換手段の切換態様を説明する図
【図１０】  図８の医療装置のマルチジョイントチューブとマルチジョイント診療機器の一例を概念的に説明する斜視図
【図１１】  図８のマルチジョイントチューブとそれに対応したマルチジョイント診療機器の接続態様を説明する図
【図１２】  従来のマルチジョイントチューブを備えた医療装置の一例を概念的に示すブロック図
【図１３】  従来のマルチジョイントチューブとマルチジョイント診療機器の一例を概念的に説明する斜視図
【図１】
0003883327.tif 000002
【図２】
0003883327.tif 000003
【図３】
0003883327.tif 000004
【図４】
0003883327.tif 000005
【図５】
0003883327.tif 000006
【図６】
0003883327.tif 000007
【図７】
0003883327.tif 000008
【図８】
0003883327.tif 000009
【図９】
0003883327.tif 000010
【図１０】
0003883327.tif 000011
【図１１】
0003883327.tif 000012
【図１２】
0003883327.tif 000013
【図１３】
0003883327.tif 000014